(57)【要約】【課題】  使用済、又は不要と成った未使用の紙封筒（６）を再利用するための箱型の代用紙容器（８）、及び当該紙容器（８）を形成するための二種類の六角形の当て板（１ａ）と（１ｂ）とを提供する。【解決手段】  屈曲性に富み、且つ反発性のバネ作用が有り最初の定型が維持できる材料から成る薄い（厚さ０．３ｍｍ〜１．３ｍｍ）六角形の当て板（１）を紙封筒（６）の中へ入れて用い、当該封筒（６）の底部において六角形の底面部（１１）を形成してできる箱型の代用紙容器（８）及び当該六角形の当て板（１）。【選択図】    図２
2006089134.tif 000002
【特許請求の範囲】
【請求項１】
当て板を紙封筒の内側底部分において用い六角形の底面部を形成することにより、箱型の代用紙容器を作成する当該当て板。
【請求項２】
請求項１の当該当て板を紙封筒の内側底部分において用いることにより、六角形の底面部を形成してできる箱型の代用紙容器。
【発明の詳細な説明】
【技術分野】
【０００１】本発明は、使用済又は不要で未使用の紙封筒の底部に六角形の底面を形成して、ゴミ箱代用の紙容器を作成し、当該紙封筒を再利用する為の六角形の薄い当て板に関するものである。
【背景技術】
【０００２】従来、使用済又は不要になった紙封筒を再利用する場合、主としてそのままの形で古紙として、又は小物入れ用として、更に又書類入れ用や反故入れ容器などとして再利用していた。片や、生活上出るゴミのゴミ入れ袋として、買物をして貯まるビニ−ル袋を多く用いて、ゴミの入った袋ごとゴミ収集所へ出していた。
【発明の開示】
【発明が解決しようとする課題】
【０００３】この再利用には、次のような問題点があった。
使用済の紙封筒は、比較的多く用いられているＡ３、Ａ４、Ｂ４、Ｂ５サイズのものは、その多くが不再利用のままで焼却、又は裁断されての再利用、又は古紙として再利用に廻すといった利用状況が一般的であった。片や生活上の反故の処理手段として、買物して貯まるビニ−ル袋の利用が多く見受けられるが、たかがビニ−ル袋と言えどもその使用量は、地域的全国的視野から見れば大した量であるから、自治体等によるゴミの収集後における焼却の際には、少なからず有害なガスの発生を伴うという難点があった。
【課題を解決するための手段】
【０００４】使用済の紙封筒を再利用することにより、ビニ−ル袋による反故容器代用の量の軽減が図れる。その一手段として、本発明の六角形の当て板を使用済の封筒の中へ用いて、封筒の底部に六角形の底面を形成してできる立体的な紙容器を反故箱の代用にする。その為の六角形の当て板であるが、本体は厚さ０．３ｍｍ〜１．３ｍｍ程度の屈曲性に富み且つ反発性（バネ作用）のあるプラスチック製、又は金属製の薄い板状で一組の対角のみが９０度であり、指穴用と屈曲抵抗の逃げ穴用としての丸穴を数個有する六角形の当て板である。ここで、当該当て板の一組の対角が９０度であるのは、紙封筒の再下端部の両隅部分は、紙封筒の底部において六角形の底面を形成する場合、必ず９０度（直角）に成るからその形状に合致させるためである。
本発明は、以上のような手段に基づく紙封筒用の六角形の当て板である。
【発明の効果】
【０００５】本発明は、紙封筒の再利用として紙容器のゴミ箱の代用品を型成して使う為のものである。その結果として、今までのようなプラスチック製の袋に入れてのゴミ出しの個数の減少化と自治体等によるゴミ収集後の焼却処分の際の有害ガスの発生をいくらか軽減できる。又、ビニ−ル袋に入れてのゴミ出し個数を軽減できる為に、買物して貯る余剰のビニ−ル袋等は他のリサイクルの方へ廻すこともできる。
更に、紙容器としての当該代用容器は、代用ゴミ箱として使用の際にはビニ−ル袋のように丈夫な外枠の補助容器を必要とせず、紙封筒の箱型そのままで反故箱の代用として再利用が可能である。又、当該紙封筒の代用ゴミ箱は、本発明の六角形の当て板を用いると、その作成が簡単で且つ容易である。尚更に、六角形の底面を有するために、床面上に当該紙封筒の代用ゴミ箱を置いたとき、安定した状態で何時でも何処ででも使用できる。
【発明を実施するための最良の形態】
【０００６】以下、本発明の実施の形態を説明する。
（イ）六角形の当て板（１）は、厚さ０．３ｍｍ〜１．３ｍｍ程度の板状のプラスチック板製、又は、金属板製、或るいは厚さ２ｍｍ〜５ｍｍ程の合成ゴム板製で、屈曲性に富み曲げたときバネ効果があって初期の定型に戻る性質の材質から成る。
（ロ）六角形の当て板（１）の各頂点をＰ、Ｑ、Ｒ、Ｐ’、Ｒ’、Ｑ’とするとき、当該当て板（１）の一つの当て板（１ｄ）は、ＰＱ＝ＰＱ’＝Ｐ’Ｒ＝Ｐ’Ｒ’；ＲＱ＝Ｒ’Ｑ’＝ＱＱ’＝ＲＲ’なる六角形で、且つ一組の対角∠Ｐ（＝∠ＱＰＱ’）、∠Ｐ’（＝ＲＰ’Ｒ’）はそれぞれ９０度で、ＰＰ’に関して左右対称である場合、ＰＰ’の長さが一定で、然も四角形ＱＲＲ’Ｑ’が正方形のとき、即ち図２のとき、六角形の当て板（１ａ）によって形成される箱型の代用紙容器（８）の容積は最大となるが、このことは数学的にも立証済である。又、当該容器（８）を床に置いたとき比較的に安定したものになる。
更に、当て板（１）のもう一つの当て板（１ｂ）は、当て板（１）の六角形ＰＱＲＰ’Ｒ’Ｑ’において、ＰＱ＝ＱＲ＝ＲＰ’＝Ｐ’Ｒ’＝Ｒ’Ｑ’＝Ｑ’Ｐ、且つ、∠Ｐ（＝∠ＱＰＱ’）と∠Ｐ’（＝∠ＲＰ’Ｒ’）はそれぞれ９０度で、ＰＰ’に関して左右対象なる場合、ＰＰ’が一定の長さのとき、即ち図４のとき、六角形の当て板（１ｂ）の全面積は、前述の六角形（図２）の面積よりもやや大きくなり、しかも、正六角形の形状に近いものになる。従って、このような形状の六角形の底面を有する代用紙容器（８）は、底面上に置いたとき一層安定したものになる。又、紙封筒（６）の両側の折り目（７）が通常よりも長い紙封筒の場合には、当該形状の当て板（１ｂ）を用いると比較的安定した状態で、然もゴミの収納容積も比較的大きくて効率的に使用できる。
（ハ）六角形の当て板（１）には、直角の頂点Ｐ、Ｐ’を結ぶ目安の線（５）上に適宜の間隔で３〜４個の指穴（３）と（３’）を施し、更に六角形の当て板（１）の目安の線（５）に関して左右対称で、且つ周縁ＱＲ’、ＲＱ’、ＱＲ、Ｑ’Ｒ’とによって囲まれる二つの三角形内に各一個の丸穴を屈曲抵抗の逃げ穴（２）として設けてある。このように二個の屈曲抵抗の逃げ穴（２）を設けることによって指先を指穴（３’）に入れて六角形の当て板（１）をＵ字型に曲げるとき曲げやすくして、紙封筒（６）の中への着脱（出し入れ）が容易になるようにしてある。しかし、当て板（１）の材質や厚さによっては、屈曲抵抗の逃げ穴（２）は省略しても良い。
（ニ）本発明を使用するときは、先ず紙封筒（６）の口を開いてから本体の六角形の当て板（１）の二個の指穴（３’）又は（３）に手の指先を嵌めて、逆Ｕ字型に折り曲げたまま紙封筒（６）の中へ入れて床面に置き、当該封筒（６）の最下端部の折り目（１０）に本体の目安線（５）が一直線に重なり合うように紙封筒（６）の底部に押し当てて六角形の底面部（１１）を形成できるように、外側からもう一方の手の指先で六角形の当て板（１）の周縁（４）に沿って、折り目（９）を施していく。六角形の底面部（１１）が形成され終わると、六角形の当て板（１）の一〜二個の引き出し用の指穴（３）に指先を入れて本体の当て板（１）を引き出せば紙箱としての代用紙容器（８）の完成であるから、そのまま適当な床面に置いて代用紙容器として使えばよい。
【図面の簡単な説明】
【０００７】
【図１】  紙封筒の裏面図である。
【図２】  本発明（当て板（１））の内の一つの当て板（１ａ）の平面図である。
【図３】  完成した箱型の代用紙容器の見取図である。
【図４】  本発明（当て板（１））の内のもう一つの当て板（１ｂ）の平面図である。
【符号の説明】
１    本体の六角形の当て抜
１ａ  本体の六角形の当て板の内の一つの当て板
１ｂ  本体の六角形の当て板の内のもう一つの当て板
２    屈曲抵抗の逃げ穴
３    本体の引き出し用の指穴
３’  六角形の当て板を曲げて持つ際の指穴
４    六角形の当て板の周縁
５    目安の線
６    紙封筒
７    当初の封筒の両側の折り目
８    紙封筒から成る箱型の代用紙容器
９    箱型の代用紙容器を形成する折り目
１０    紙封筒の最下端部の折り目部分
１１    紙封筒の底部における六角形の底面部
【図１】
2006089134.tif 000003
【図２】
2006089134.tif 000004
【図３】
2006089134.tif 000005
【図４】
2006089134.tif 000006